(57)【要約】      （修正有）【課題】外側フィルムと内側フィルムの二重壁を有し、内側フィルムで囲まれた内容物収納部を有し、その二重壁の間に気体を充填することができ、且つ、安定した自立性があり、内容物収納部が大きな、自立袋を提供する。【解決手段】二つ折りした外側フィルム１の下端を内側に折り込み、２つの外側フィルム山折部３とその中央に１つの外側フィルム谷折部を設け、二つ折りした内側フィルム２の下端を内側に折り込み、２つの内側フィルム山折部とその中央に１つの内側フィルム谷折部を設け、内側フィルム２を外側フィルム１の内側に挿入され、外側フィルム１と内側フィルム２とが重なった両側部に、４枚重ねでシールされたサイドシール部が形成され、内側フィルム山折部が外側フィルム山折部３より上方で、外側フィルム谷折部より下方にあることを特徴とする。【選択図】図２
2014005030.tif 000002
【特許請求の範囲】
【請求項１】
二つ折りした外側フィルムの下端を内側に折り込み、２つの外側フィルム山折部とその中央に１つの外側フィルム谷折部を設け、二つ折りした内側フィルムの下端を内側に折り込み、２つの内側フィルム山折部とその中央に１つの内側フィルム谷折部を設け、該内側フィルムを前記外側フィルムの内側に挿入され、前記外側フィルムと前記内側フィルムとが重なった両側部に、４枚重ねでシールされたサイドシール部が形成され、前記内側フィルム山折部が前記外側フィルム山折部より上方で、前記外側フィルム谷折部より下方にあることを特徴とする自立袋。
【請求項２】
前記外側フィルムがガス透過性の低いフィルムで、前記内側フィルムがガス透過性の高いフィルムであって、前記外側フィルムと前記内側フィルムで囲まれた間の空間部に不活性ガスが充填されていることを特徴とする請求項１に記載の自立袋。
【発明の詳細な説明】
【技術分野】
【０００１】
本発明は、自立袋に関するものである。
【背景技術】
【０００２】
従来から、包装袋を二重壁で構成し、内側フィルムと外側フィルムの間に、気体を充填した包装袋があった。この二重壁で構成された包装袋には、充填する気体を炭酸ガスにして充填された食品に炭酸ガスを吸収させるものや、空気を充填してクッション性を持たせて、外部からの衝撃などから保護するものがあった。
【０００３】
例えば、食品に炭酸ガスを溶け込ませることのできるものとして、炭酸ガス不透過性材料で形成された外容器と、外容器内に、炭酸ガス透過性材料で形成された仕切り部を設け、飲料等の食品収納部と炭酸ガス収納部を具備した包装容器があり、仕切り部を外容器の内部に設けた内容器とし、二重構成とした外容器が柔軟な袋状容器とした包装容器がある。そしてこの包装容器に飲料等の食品を充填して炭酸ガスを飲料等の食品に溶け込ませた包装体がある（特許文献１）。
【０００４】
また、衝撃に弱い製品を保護する包装袋としては、図３のように、底部の底テープ１０３と、表フィルム１０１と裏フィルム１０２とからなり、底シール部８により底ガゼット部を設けた自立袋であって、底ガゼットの折り返し部、すなわち、底テープ１０３の上端縁折り返し部（外側フィルム谷折部４）より袋上方に、内袋を形成する二つ折りした内側フィルム２を、その折部１５を下方に向け差込み、内側フィルム２の側部は自立袋の本体の表フィルム１０１と裏フィルム１０２の間に重ね合わせ、サイドシール部７、７でシールし、上部は、二つ折りした内側フィルム２の各両上端を、表フィルム１０１と裏フィルム１０２の間に重ね合わせてシールして天シール部１３を設け、表フィルム１０１と裏フィルム１０２と二つ折りした内側フィルム２とで囲まれた気体充填空間部１４を有する二重自立袋とした包装袋があった（特許文献２）。
【先行技術文献】
【特許文献】
【０００５】
【特許文献１】特開２０１１−１０５３１７号公報
【特許文献２】特開２０１０−２７５０１８号公報
【発明の概要】
【発明が解決しようとする課題】
【０００６】
特許文献１の包装容器では、平袋やサイドガゼット袋が記載されているが、底ガゼット袋のような安定した自立性が得られない。また、特許文献２の二重自立袋では自立性は得られるが、二つ折りした内側フィルムが折部を下方に向け差込まれているため、内側フィルムが平袋のようなものとなり、内容物収納部が小さくなってしまう。
【０００７】
本発明は、外側フィルムと内側フィルムの二重壁を有し、内側フィルムで囲まれた内容物収納部を有し、その二重壁の間に気体を充填することができ、且つ、安定した自立性があり、内容物収納部が大きな、自立袋を提供することを課題とする。
【課題を解決するための手段】
【０００８】
本発明の請求項１に係る発明は、二つ折りした外側フィルムの下端を内側に折り込み、２つの外側フィルム山折部とその中央に１つの外側フィルム谷折部を設け、二つ折りした内側フィルムの下端を内側に折り込み、２つの内側フィルム山折部とその中央に１つの内
側フィルム谷折部を設け、該内側フィルムを前記外側フィルムの内側に挿入され、前記外側フィルムと前記内側フィルムとが重なった両側部に、４枚重ねでシールされたサイドシール部が形成され、前記内側フィルム山折部が前記外側フィルム山折部より上方で、前記外側フィルム谷折部より下方にあることを特徴とする自立袋である。
【０００９】
本発明の請求項２に係る発明は、前記外側フィルムがガス透過性の低いフィルムで、前記内側フィルムがガス透過性の高いフィルムであって、前記外側フィルムと前記内側フィルムで囲まれた間の空間部に不活性ガスが充填されていることを特徴とする請求項１に記載の自立袋である。
【発明の効果】
【００１０】
本発明の請求項１に係る発明によると、二つ折りした外側フィルムの下端を内側に折り込み、２つの外側フィルム山折部とその中央に１つの外側フィルム谷折部を設け、二つ折りした内側フィルムの下端を内側に折り込み、２つの内側フィルム山折部とその中央に１つの内側フィルム谷折部を設け、該内側フィルムを前記外側フィルムの内側に挿入され、前記外側フィルムと前記内側フィルムとが重なった両側部に、４枚重ねでシールされたサイドシール部が形成され、前記内側フィルム山折部が前記外側フィルム山折部より上方で、前記外側フィルム谷折部より下方にあるために、外側フィルムと内側フィルムの二重壁を有し、内側フィルムで囲まれた内容物収納部を有し、その二重壁の間の空間部に気体を充填することができ、これにより、内容物を衝撃などから保護することができる。また、安定した自立性があり、内容物収納部が大きな自立袋とすることができる。
【００１１】
本発明の請求項２に係る発明によると、請求項１の発明において、外側フィルムがガス透過性の低いフィルムで、内側フィルムがガス透過性の高いフィルムであって、外側フィルムと内側フィルムで囲まれた間の空間部に不活性ガスが充填されているので、内容物を酸素による劣化や、好気性菌による腐敗から保護することができる。
【図面の簡単な説明】
【００１２】
【図１】（Ａ）本発明の自立袋の一例を模式的に正面で示した説明図である。（Ｂ）本発明の自立袋の一例の上部開口部を開いた状態を模式的に断面で示した説明図である。
【図２】本発明の自立袋の一例に内容物を充填した状態を模式的に断面で示した説明図である。
【図３】従来の自立袋の一例に内容物を充填した状態を模式的に示した説明図である。（左側）正面図、（右側）断面図である。
【発明を実施するための形態】
【００１３】
以下、本発明を実施するための形態につき説明する。
【００１４】
図１（Ａ）は、本発明の自立袋の一例を模式的に平面で示した説明図である。（Ｂ）は、本発明の自立袋の一例の上部開口部を開いた状態を模式的に断面で示した説明図である。図２は、本発明の自立袋の一例に内容物を充填した状態を模式的に断面で示した説明図である。
【００１５】
本例の自立袋１００は、図１（Ａ）、（Ｂ）のように、外側フィルム１と内側フィルム２とからなっていて、外側フィルム１は、二つ折りされて、その折られた下端が内側に折り込まれ、２つの外側フィルム山折部３、３と、その中央に１つの外側フィルム谷折部４が設けられている。
【００１６】
また、内側フィルム２は、二つ折りされて、その折られた下端が内側に折り込まれ、２つの内側フィルム山折部５、５と、その中央に１つの内側フィルム谷折部６が設けられて
いる。
【００１７】
そして、折り込まれた内側フィルム２が、折り込まれた外側フィルム１の内側に挿入され、外側フィルム１と内側フィルム２の両側部が前記外側フィルム１と前記内側フィルム２とが重なった４枚重ねの状態でシールされてサイドシール部７、７が形成されている。そして、内側フィルム山折部５、５の位置は、外側フィルム山折部３、３の位置より上方で、外側フィルム谷折部４の位置より下方になっている。
【００１８】
本例の自立袋１００では、図１（Ｂ）のように、外側フィルム１は、表フィルム１０１と、裏フィルム１０２と、底テープ１０３とからなっていて、底テープ１０３を二つ折りして折部を上にして、表フィルム１０１と裏フィルム１０２の間に差し込み、表フィルム１０１と底テープ１０３の一方の下端をシールし、また、裏フィルム１０２と底テープ１０３の他方の下端をシールして底シール部８を設け、それぞれの底シール部８とその上の未シール部の境を外側フィルム山折部３、３とした。
【００１９】
また、底テープ１０３には、サイドシール部７になる位置に、あらかじめ抜き孔９を設けておき、サイドシール部７をシールするときに、抜き孔９の位置で、表フィルム１０１と裏フィルム１０２が、あるいは、その位置に内側フィルム２があれば、内側フィルム２どうしがシールされ、自立袋１００の下端が開かないようにしてある。
【００２０】
また、自立袋１００の下方の隅部には、サイドシール部７から底シール部８に向け、斜めシール部１０が設けられていて、内容物を充填したときに底テープ１０３がきれいに開くように誘導している。本例の自立袋１００は、底ガゼット形式として斜めシール部１０を設けたが、本発明の自立袋においては、斜めシール部１０を設けなくとも良いし、また、底シール部８自体を、図３の従来の自立袋のような船底シールにしてもよい。
【００２１】
本例の自立袋１００は、以上のような構成にしてあるため、外側フィルム１と内側フィルム２とで二重壁を構成して、内側フィルム２で囲まれた内容物収納部１１が形成され、外側フィルム１と内側フィルム２との二重壁の間に気体を充填することができ、気体を充填することによって、内容物を衝撃などから保護することができる。
【００２２】
また、内容物の入った内容物収納部１１の底を、外側フィルム１で形成された底に触れるように、内側フィルム山折部５、５と、内側フィルム谷折部６の位置を調整することによって、安定した自立性を得ることができる。また、内容物の収納部大きくすることができる。
【００２３】
外側フィルム１としては、基材フィルムとシーラント層が積層された積層フィルムが好ましく用いられる。基材フィルムとしては、ナイロンフィルム（Ｎｙ）、ポリエチレンテフタレートフィルム（ＰＥＴ）、二軸延伸ポリプロピレンフィルム（ＯＰＰ）が用いられる。
【００２４】
更には、バリア層として、アルミニウム箔（Ａｌ箔）を設けてもよい。また、アルミニウム（Ａｌ）などの金属や、アルミナ、または、シリカなどの無機物の蒸着層を設けてもよい。これらを、単層または多層で用いて基材フィルムとしてもよい。
【００２５】
シーラント層としては、熱可塑性樹脂で熱溶着が可能な低密度ポリエチレンフィルム（ＬＤＰＥ）、直鎖状低密度ポリエチレンフィルム（ＬＬＤＰＥ）、未延伸ポリプロピレンフィルム（ＣＰＰ）などを用いることができる。
【００２６】
内側フィルム２としては、外側フィルム１のシーラント層と熱融着可能なＬＤＰＥ、Ｌ
ＬＤＰＥ、ＣＰＰ等の熱可塑性樹脂のフィルムを用いることができる。内側フィルム２はガス透過性の高いフィルムでも構わない。
【００２７】
図２は、本発明の自立袋の一例に内容物を充填した状態を模式的に断面で示した説明図である。
【００２８】
図２のように、内側フィルム２で囲まれた内容物収納部１１に、内容物１２が収納され、自立袋１００の上端に天シール部１３が設けられている。天シール部１３は、サイドシール部７、７と同様に外側フィルム１と内側フィルム２とが重なった４枚重ねの状態でシールされている。内容物収納部１１は脱気され、または、真空にされていることが好ましい。
【００２９】
外側フィルム１と内側フィルム２との二重壁で囲まれた間に気体充填空間部１４が設けられていて、気体充填空間には、不活性ガスが充填されている。不活性ガスは、内容物１２と反応しにくい、あるいは、影響を与えにくい気体であればよい。例えば、アルゴンのような希ガスや窒素ガスを用いればよい。また、場合によっては、炭酸ガスや、炭酸ガスの混合体を用いてもよい。
【００３０】
このように不活性ガスを充填するため、外側フィルム１として、ガス透過性の低いフィルムを用いることが好ましく、前述のバリア層を基材フィルムに用いた外側フィルム１を用いることが好ましい。
【００３１】
このようにすることによって、内容物１２を衝撃から保護すると同時に、外気から進入する酸素などから遮断し、劣化を防止することができる。
【００３２】
また、内側フィルム山折部５、５と、内側フィルム谷折部６の位置を、外側フィルム山折部３、３と外側フィルム谷折部４の位置との間で調整することによって、図２のように、内容物１２の入った内容物収納部１１の底を、外側フィルム１で形成された底に触れるようにすることができ、安定した自立性を得ることができる。また、内容物１２を収納する内容物収納部１１を、下に広くして大きくすることができる。
【００３３】
次に、本例の自立袋１００の製造方法について説明する。
【００３４】
まず、製袋機において、内側フィルム２と、外側フィルム１の表フィルム１０１と裏フィルム１０２と底テープ１０３それぞれ長尺で送り出して、内側フィルム２は両端部を重ね合わせ、折った反対側を内側に折り込み、２つの内側フィルム山折部５、５と、その中央に１つの内側フィルム谷折部６を形成させて折りたたむ。尚、表フィルム１０１と裏フィルム１０２は1枚のフィルムを製袋機上でスリットして製造してもよい。
【００３５】
底テープ１０３は両端部を重ねあわせて２つに折る。そして、折った状態で抜き孔９を設ける。この折った底テープ１０３を折部（外側フィルム谷折部４）が自立袋１００の上側になるように、表フィルム１０１と裏フィルム１０２の間に挟みこみ、また、内側フィルム２を内側フィルム谷折部６が自立袋１００の上側になるように、表フィルム１０１と裏フィルム１０２の間に挟みこむ。
【００３６】
そして、底シール部８、サイドシール部７、７、斜めシール部１０を順次シールする。次に、断裁、あるいは、抜き加工にて、１袋ずつ分離して製袋された自立袋１００が製造される。
【００３７】
この自立袋で包装するには、内側フィルム２で囲まれた内容物収納部１１に内容物１２
を充填し、天シール部１３をシールして設ける。このとき、真空包装機などで脱気することが好ましい。
【００３８】
次に、外側フィルム１と内側フィルム２の間の気体充填空間部１４に不活性ガスを充填する。図には記載していないが、外側フィルム１の一箇所に気体充填空間部１４と連通するガス吹き込み孔を設けておき、このガス吹き込み孔から不活性ガスを吹き込み、気体充填空間部１４に不活性ガスを充填する。不活性ガスを充填したら、ガス吹き込み孔をシールによって塞ぐ。
【００３９】
ガス吹き込み孔のシールは、表側の外側フィルム１と内側フィルム２、裏側の外側フィルム１と内側フィルム２の４枚重ねでシールすればよい。
【００４０】
また、あらかじめ天シール部１３のうち、内側フィルム２どうしはシールせず、表フィルム１０１と内側フィルム２、および、裏フィルム１０２と内側フィルム２をそれぞれシールしておき、気体充填空間部１４に不活性ガスを充填して、ガス吹き込み孔をシールによって塞ぎ、その後、内容物１２を充填して、天シール部１３の内側フィルム２どうしをシールしてもよい。
【００４１】
このようにすると、不活性ガスが充填され膨らんだ気体充填空間部１４により、内容物収納部１１が圧迫され、中の空気が押出され、内容物収納部１１が脱気された状態でシールすることができる。
【００４２】
以上のように、本発明の自立袋は、二重壁の間に気体を充填することができ、内容物を衝撃などから保護することができる。且つ、内容物収納部を下に広く大きくとることができて、また、安定した自立性が得られる。
【００４３】
そして、外側フィルムをガス透過性の低いフィルムとして、内側フィルムをガス透過性の高いフィルムとし、外側フィルムと内側フィルムで囲まれた間の空間部に不活性ガスを充填することによって、内容物を酸素による劣化や、好気性菌による腐敗から保護することができる。
【００４４】
本発明の自立袋は、このような効果を有していることから、酸素と反応する鉄などの金属の部品を腐食から防いだり、食品を酸素による劣化や、好気性菌による腐敗から保護したりする用途で、且つ、衝撃などから保護する用途に用いることができる。
【符号の説明】
【００４５】
１００・・・自立袋
１０１・・・表フィルム
１０２・・・裏フィルム
１０３・・・底テープ
１・・・外側フィルム
２・・・内側フィルム
３、３・・・外側フィルム山折部
４・・・外側フィルム谷折部
５、５・・・内側フィルム山折部
６・・・内側フィルム谷折部
７、７・・・サイドシール部
８・・・底シール部
９・・・抜き孔
１０・・・斜めシール部
１１・・・内容物収納部
１２・・・内容物
１３・・・天シール部
１４・・・気体充填空間部
１５・・・折部
【図１】
2014005030.tif 000003
【図２】
2014005030.tif 000004
【図３】
2014005030.tif 000005